(57)【特許請求の範囲】
【請求項１】
給気ファン又は排気ファンを回転させるブラシレスモータと、
制御電圧を発生する制御電源と、
この制御電源から前記制御電圧を受けて動作し、回転駆動信号を発生して前記ブラシレスモータに加える駆動制御手段と、
前記駆動制御手段に対する前記制御電圧をプログラム化して給電する給電制御手段と、  を備え、
前記駆動制御手段に対する前記制御電圧は、水流検知に基づいて給電を開始し、燃焼を終了した時点から所定時間の経過後、解除し又は零電圧に近い値に低下させることを特徴とする給湯装置。
【請求項２】
給気ファン又は排気ファンを回転させるブラシレスモータと、
制御電圧を発生する制御電源と、
この制御電源から前記制御電圧を受けて動作し、回転駆動信号を発生して前記ブラシレスモータに加える駆動制御手段と、
前記駆動制御手段に対する前記制御電圧をプログラム化して給電する給電制御手段と、 を備え、
前記駆動制御手段に対する前記制御電圧は、前記給電制御手段が発生する回転数指令パルスの発生開始に同期して給電を開始し、前記回転数指令パルスの解除時点から所定時間の経過後、解除し又は零電圧に近い値に低下させることを特徴とする給湯装置。
【発明の詳細な説明】
【０００１】
【発明の属する技術分野】
本発明は、給気ファン又は排気ファンを回転させるファンモータ等のブラシレスモータ駆動装置を備える給湯装置に関する。
【０００２】
【従来の技術】
図９は、ファンモータを駆動する従来のブラシレスモータ駆動装置を示している。ファンモータ９００には駆動回路９０２により駆動電流が供給され、駆動回路９０２には商用交流電源を整流・平滑回路９０４によって得た駆動電圧が加えられているとともに、ＰＷＭ制御回路９０６からの駆動パルス出力が加えられている。ファンモータ９００の回転は、ホール素子等で構成される回転センサ９０８によって検出され、その検出信号は回転ロジック回路９１０を通して回転ロジック信号に変換されて制御装置９１２に加えられる。制御装置９１２は、予め設定された回転数と回転ロジック回路９１０から回転ロジック信号、即ち、回転データからパルス状の回転信号を演算して出力し、回転数制御回路９１４に加える。回転数制御回路９１４は、その回転信号を積分し、レベル信号に変換する。ＰＷＭ制御回路９０６には、このレベル信号が加えられ、レベル信号が持つレベルに比例するデューティ比の駆動パルス出力を発生する。
【０００３】
【発明が解決しようとする課題】
ところで、このようなブラシレスモータ駆動装置では、整流・平滑回路９０４を通して得た直流電圧からＰＷＭ制御回路９０６に必要な制御電圧を得る手段として制御電源９１６が設けられ、常時、ＰＷＭ制御回路９０６に制御電圧が加えられている。即ち、ファンモータ９００が停止期間中においても、電源スイッチが投入されている限り、ＰＷＭ制御回路９０６は駆動状態に置かれて電力を消費している。この電力消費は無駄であり、ＣＯ2 の発生も無視できない。
【０００４】
そこで、本発明は、省電力化を実現した給湯装置を提供することを目的とする。
【０００５】
【課題を解決するための手段】
本発明は、回転駆動信号を発生する駆動制御手段（ＰＷＭ制御回路８）、制御電圧を発生する制御電源（１８）、この制御電源から前記駆動制御手段に加えられる前記制御電圧をプログラム化して加える給電制御手段（スイッチ２０、ＯＮ−ＯＦＦ制御回路２２、制御装置１４）を備えて、駆動制御手段への給電及び動作をプログラム化することで、省電力化を実現したものである。
【０００７】
このような構成によれば、ブラシレスモータに対して回転駆動信号を付与する駆動制御手段には制御電源から制御電圧が加えられ、これが駆動源である。従来、この制御電圧を常時付与していたのに対し、制御電圧を回転指令に基づいてプログラム化して駆動制御手段に加えることにより、電力消費を抑制できる。
【０００８】
請求項１に係る本発明の給湯装置は、給気ファン又は排気ファンを回転させるブラシレスモータ（ファンモータ２）と、制御電圧を発生する制御電源（１８）と、この制御電源から前記制御電圧を受けて動作し、回転駆動信号を発生して前記ブラシレスモータに加える駆動制御手段（ＰＷＭ制御回路８）と、この駆動制御手段に対する前記制御電圧をプログラム化して給電する給電制御手段（スイッチ２０、ＯＮ−ＯＦＦ制御回路２２、制御装置１４）とを備え、前記駆動制御手段に対する前記制御電圧を水流検知に基づいて給電を開始し、燃焼を終了した時点から所定時間の経過後、解除し又は零電圧に近い値に低下させることを特徴とする。
【０００９】
即ち、ブラシレスモータは、火花の発生がない等の利点を利用して燃焼機器の給気ファンや排気ファンの回転駆動手段として使用される。これら給気ファンや排気ファンは、燃焼機器の燃焼に応じて回転させればよい。そこで、ブラシレスモータに回転駆動信号を付与する駆動制御手段に対し、制御電源からの制御電圧の給電を給気ファンや排気ファンの回転又は回転停止に応じてプログラム化することで、電力消費を節減することができる。
【００１１】
また、駆動制御手段に対する制御電圧を給湯時間又は浴槽残水の追焚時間に対応させて制御しており、給湯又は追焚の開始を水流の発生によって検知し、これを起点とし、燃焼手段の燃焼を終了した時点から所定時間の経過後、解除し又は零電圧に近い値に低下させる。燃焼を終了した時点から所定時間の経過後に給電を解除又は零電圧に近い値に低下させるのは、燃焼終了後の排気を完全にするためである。また、給電の解除に対し、制御電圧を零電圧に近い値に低下させるのは、省電力化を図るには制御電圧を零電圧に近い値に低下させる程度で十分だからである。
【００１２】
そして、請求項２に係る本発明の給湯装置は、給気ファン又は排気ファンを回転させるブラシレスモータ（ファンモータ２）と、制御電圧を発生する制御電源（１８）と、この制御電源から前記制御電圧を受けて動作し、回転駆動信号を発生して前記ブラシレスモータに加える駆動制御手段（ＰＷＭ制御回路８）と、前記駆動制御手段に対する前記制御電圧をプログラム化して給電する給電制御手段（スイッチ２０、ＯＮ−ＯＦＦ制御回路２２、制御装置１４）とを備え、前記駆動制御手段に対する前記制御電圧は、前記給電制御手段が発生する回転数指令パルスの発生開始に同期して給電を開始し、前記回転数指令パルスの解除時点から所定時間の経過後、解除し又は零電圧に近い値に低下させることを特徴とする。
【００１３】
即ち、駆動制御手段に対する制御電圧を給電制御手段が発生する回転数指令パルスの発生開始を起点とし、その終了時点を回転数指令パルスの解除時点から所定時間の経過後に設定することにより、省電力化を図っている。
【００１４】
【発明の実施の形態】
以下、本発明を図面に示した実施形態を参照して詳細に説明する。
【００１５】
図１は、ブラシレスモータ駆動装置を示している。ファンモータ２には、ＤＣブラシレスモータを使用することができる。このファンモータ２には、ＰＷＭ駆動部３の駆動回路４により駆動電流が供給され、駆動回路４には、商用交流電源を整流・平滑回路６によって得た駆動電圧が加えられているとともに、駆動制御手段を構成するＰＷＭ制御回路８から回転駆動信号として駆動パルス出力が加えられている。ファンモータ２の回転は、ホール素子等で構成される回転センサ１０によって検出され、その検出信号は回転ロジック回路１２を通して回転ロジック信号に変換され、この回転ロジック信号がインターフェイス回路１３を通して制御装置１４に加えられる。この制御装置１４は、予め設定された回転数と回転ロジック回路１２からの回転ロジック信号を受け、その回転データから回転数指令パルスＣＮを演算して出力し、回転数制御回路１６に加える。回転数制御回路１６は、その回転数指令パルスＣＮを積分し、レベル信号に変換する。ＰＷＭ制御回路８には、このレベル信号が加えられ、レベル信号が持つレベルに比例するデューティ比の駆動パルス出力を発生する。
【００１６】
駆動制御手段であるＰＷＭ制御回路８に対する制御電圧Ｖddを発生する制御電源１８が設けられ、この制御電源１８には整流・平滑回路６から直流電圧が加えられている。即ち、制御電源１８は、スイッチング電源回路等で構成されており、整流・平滑回路６から加えられた直流電圧を所望の制御電圧Ｖddに変換してＰＷＭ制御回路８に給電する。
【００１７】
この制御電源１８が発生した制御電圧ＶddをＰＷＭ制御回路８にプログラム化して給電する給電制御手段としてスイッチ２０、ＯＮ−ＯＦＦ制御回路２２及び制御装置１４が設けられている。スイッチ２０は、制御電源１８とＰＷＭ制御回路８との間に介在し、開閉によってその給電を切り換える手段であって、リレーや電子スイッチで構成することができる。また、ＯＮ−ＯＦＦ制御回路２２は、制御装置１４からの回転数指令パルスＣＮを受けることにより、ファンモータ２の回転期間、回転停止期間を判別し、回転期間のみスイッチ２０を閉じることにより、ＰＷＭ制御回路８に対して制御電圧Ｖddを給電する。
【００１８】
このような構成によれば、ファンモータ２の回転期間に対応してＰＷＭ制御回路８に対する制御電圧Ｖddの給電を行うことができ、回転停止期間における無用な電力消費を抑制でき、省電力化を図ることができる。
【００１９】
次に、図２は、本発明の給湯装置の一実施形態である給湯・追焚装置を示している。上水Ｗは、給水管３０を通して熱交換器３２に給水され、その給水量は水量センサ３４で検出されるとともに、その給水温は給水温センサ３６で検出される。熱交換器３２には、加熱手段としてのバーナ３８が設けられており、このバーナ３８にはガス管４０を通してガスＧが供給され、４２、４４は開閉弁、４６は比例弁である。４８は着火手段であるイグナイタである。バーナ３８には給気又は排気手段であるファン５０が設けられ、このファン５０はファンモータ２Ａによって回転し、その回転は回転センサ１０Ａによって検出される。
【００２０】
熱交換器３２によって加熱された上水Ｗは、温水ＨＷとして出湯管５２から出湯され、その出湯温は出湯温センサ５４で検出される。出湯管５２には分岐管５６が設けられ、分岐管５６に分流した温水ＨＷは電磁弁５８、ホッパ６０、水量センサ６２を通して浴槽６４側に供給される。
【００２１】
浴槽６４には、循環口６６が設けられるとともに、この循環口６６を通して循環路を成す往き管６８及び戻り管７０を通して熱交換器７２が接続されている。往き管６８には切換弁７４が設けられて分岐管５６と連結されている。戻り管７０側には温度センサ７６、水位センサ７８、ポンプ８０、流水スイッチ８２が設けられ、浴槽６４の浴槽水８４の温度が温度センサ７６によって検出され、その水位が水位センサ７８によって検出される。水位センサ７８は圧力センサによって構成され、水圧を通して浴槽水８４の水位を電気的に検出する。追焚時、浴槽水８４はポンプ８０によって熱交換器７２に循環し、その循環流水の有無が流水スイッチ８２によって検出される。
【００２２】
熱交換器７２には、加熱手段としてのバーナ８６が設けられており、このバーナ８６にはガス管４０を通してガスＧが供給され、８８は開閉弁であり、９０は着火手段であるイグナイタである。バーナ８６には給気又は排気手段であるファン９２が設けられ、このファン９２はファンモータ２Ｂによって回転し、その回転は回転センサ１０Ｂによって検出される。
【００２３】
次に、図３は、図２に示した給湯・追焚装置の給湯・追焚制御部を示している。給湯又は追焚の各制御を担当する制御装置１４０はマイクロコンピュータで構成されており、ＣＰＵ１００、記憶手段としてＲＯＭ１０２、ＲＡＭ１０４、入出力手段として入力ポート１０６、出力ポート１０８が設けられている。入力ポート１０６には、検出回路１１０を通して水量センサ３４、給水温センサ３６、出湯温センサ５４、流水スイッチ８２等の検出出力が加えられているとともに、外部リモコン装置１１２から温度設定等を表すリモコン信号が有線又は無線により加えられている。
【００２４】
出力ポート１０８には、駆動回路１１４を通して比例弁４６、駆動回路１１６を通して開閉弁８８が接続されるとともに、ファンモータ２Ａ側のＰＷＭ駆動部３Ａ、ファンモータ２Ｂ側のＰＷＭ駆動部３Ｂが接続されている。ＰＷＭ駆動部３Ａ、３Ｂは、図１に示したブラシレスモータ駆動装置におけるＰＷＭ駆動部３に相当し、また、回転ロジック回路１２Ａ、１２Ｂは、図１の回転ロジック回路１２に相当する。
【００２５】
次に、図４は、給湯・追焚制御部に用いられたブラシレスモータ駆動装置の具体的な構成例を示しており、図１のブラシレスモータ駆動装置と同一部分には同一符号を付してある。整流・平滑回路６は、整流回路１１８と平滑回路１２０で構成され、入力端子１２２、１２４には商用交流電源が加えられ、平滑回路１２０の直流出力はファンモータ回路１５０側に供給されている。
【００２６】
ファンモータ回路１５０は、図５に示すように、ファンモータ２、駆動回路４、ＰＷＭ制御回路８、回転センサ１０及び回転ロジック回路１２で構成されている。これらの詳細は上記のとおりである。
【００２７】
制御電源１８は、入力端子１２８、１３０に商用交流電源を所望の電圧に変圧して受け、整流回路１３２で整流するとともに、安定化回路１３３で安定化して直流電圧を発生させている。即ち、整流回路１３２の整流出力がコンデンサ１３４で平滑されて所望の直流電圧を形成し、これをレギュレータ１３６に加えて安定化した後、コンデンサ１３８及び抵抗１４２を以て平滑して制御電圧Ｖddが得られている。この制御電圧Ｖddは、スイッチ２０を介してファンモータ回路１５０のＰＷＭ制御回路８に加えられている。図１のブラシレスモータ駆動装置では、制御電源１８の入力を整流・平滑回路６から得ていたが、この実施例では、制御電源１８を整流・平滑回路６とは独立した構成としている。
【００２８】
ファンモータ回路１５０から発せられた回転ロジック出力（回転ロジック回路１２の出力）ＳＮは、インターフェイス回路１３に加えられる。このインターフェイス回路１３はフォトカプラ１４４及び抵抗１４６で構成され、ファンモータ回路１５０におけるスイッチング素子の導通に基づいて流れる電流によりフォトカプラ１４４の発光ダイオードが発光し、その発光によって受光トランジスタが導通する。このスイッチング信号は、抵抗１４７及びコンデンサ１４８を通して制御装置１４に加えられる。
【００２９】
また、制御装置１４から発せられた回転数指令パルスＣＮは、回転数制御回路１６及びＯＮ−ＯＦＦ制御回路２２に加えられる。ＯＮ−ＯＦＦ制御回路２２は、スイッチ２０の開閉制御手段であって、回転数指令パルスＣＮが発せられたとき、スイッチ２０を導通させ、その導通期間において、制御電源１８からの制御電圧Ｖddがファンモータ回路１５０のＰＷＭ制御回路８に加えられる。
【００３０】
一方、回転数制御回路１６は、回転数指令パルスＣＮを受けるスイッチング回路１５１を備え、このスイッチング回路１５１はトランジスタ１５２及び抵抗１５４、１５６、１５８で構成される。即ち、トランジスタ１５２のベース側に高低２レベルからなる回転数指令パルスＣＮが加えられると、その高レベル区間で導通する。
【００３１】
このスイッチングに応じた直流電圧を形成する手段として、フォトカプラ１６０、スイッチング回路１６２及び積分回路１６４を備えている。フォトカプラ１６０の発光ダイオード側には、入力端子１６６を通して直流電圧が加えられ、トランジスタ１５２の導通が光に変換される。この発光は、受光トランジスタを導通させ、入力端子１６８に加えられている電圧によって受光トランジスタ側に抵抗１７０を通して電流が流れる。スイッチング回路１６２はトランジスタ１７２、抵抗１７４、１７６で構成され、フォトカプラ１６０の発光ダイオードが導通したとき、トランジスタ１７２が遮断状態に移行する。トランジスタ１７２が遮断状態に移行すると、電源端子１７８に加えられている電圧が抵抗１７４を通して積分回路１６４に加えられる。即ち、積分回路１６４への給電は、トランジスタ１７２の遮断期間に一致している。フォトカプラ１６０が非導通区間で、トランジスタ１７２は導通状態となり、このとき、積分回路１６４への給電が停止状態にある。
【００３２】
積分回路１６４は、抵抗１８０、１８２、１８４、コンデンサ１８６、１８８及びツェナーダイオード１９０で構成されている。即ち、トランジスタ１７２が遮断期間で電源端子１７８からの電圧が抵抗１７４、１８０を通してコンデンサ１８６に加えられるとともに、コンデンサ１８６側の電圧が抵抗１８２を通してコンデンサ１８８に加えられることにより、コンデンサ１８６、１８８が充電される。この充電期間は、トランジスタ１７２の非導通区間に同期し、抵抗値及び容量によって定まる時定数に基づく直流電圧が発生し、これが駆動電圧ＶS となる。そして、ツェナーダイオード１９０は、駆動電圧ＶS を一定電圧以下に抑制する抑制素子であって、駆動電圧ＶS の必要値を越える電圧への移行を阻止している。このような電圧制御の結果、回転数指令パルスＣＮに基づくＰＷＭ出力としての駆動電圧ＶS が形成されている。
【００３３】
次に、図６は、スイッチ２０及びＯＮ−ＯＦＦ制御回路２２の具体的な構成例を示している。スイッチ２０は、トランジスタ１９２及び抵抗１９４で構成され、ＯＮ−ＯＦＦ制御回路２２のスイッチングに基づいて導通又は遮断状態に制御される。導通状態に移行したとき、レギュレータ１３６から制御電圧Ｖddがコンデンサ１９６を通して出力される。
【００３４】
ＯＮ−ＯＦＦ制御回路２２は、フリップフロップ回路１９８、スイッチング回路２００及びスイッチング素子としてのフォトカプラ２０２で構成されており、フリップフロップ回路１９８にはスイッチング信号として回転数指令パルスＣＮが加えられる。抵抗２０４及びコンデンサ２０６によってフリップフロップ回路１９８の時定数が決定される。このフリップフロップ回路１９８のスイッチング出力は、トランジスタ２０８、抵抗２１０、２１２で構成されるスイッチング回路２００に加えられ、その高レベル区間でトランジスタ２０８が導通する。
【００３５】
トランジスタ２０８は、フォトカプラ２０２の発光ダイオード側に直列に接続され、その導通時、発光ダイオードを導通させる。即ち、電源端子２１４に加えられている電圧により、抵抗２１６を通して発光ダイオードに電流が流れ、その発光に応じて受光トランジスタが導通する。即ち、スイッチ２０のトランジスタ１９２のベースが抵抗２１８及び導通するフォトカプラ２０２を通して接地され、その結果、トランジスタ１９２が選択的に導通状態となる。
【００３６】
次に、動作を説明すると、図７のＡは、水量センサ３４又は流水スイッチ８２の出力を示し、この出力は、上水Ｗが熱交換器３２を流れたとき、又は、循環ポンプ８０を駆動して浴槽６４の浴槽水８４が循環管路を流れたときの状態を示している。この水量センサ３４又は流水スイッチ８２が流水を検知した後、時間ｔ1 の後、図７のＢに示すように、給湯時にはバーナ３８、追焚時にはバーナ８６の燃焼が開始され、流水停止でバーナ燃焼も停止される。
【００３７】
そして、水量センサ３４が流水を検出すると、制御装置１４は、その流水検知信号を受けて図７のＣに示す回転数指令パルスＣＮを発生し、この発生期間は、流水検出の時点からその終了時点に時間ｔ2 を加えた時間である。この回転数指令パルスＣＮは、ＯＮ−ＯＦＦ制御回路２２に加えられ、その立上りを受けてＯＮ−ＯＦＦ制御回路２２のフリップフロップ回路１９８（図６）がパルスを発生し、その出力パルスに応じてスイッチ２０のトランジスタ１９２を導通させる。
【００３８】
ところで、制御電圧Ｖddは、交流電圧を整流回路１３２で整流して得た直流電圧をレギュレータ１３６で安定化させて取り出しており、スイッチ２０の導通により、ファンモータ回路１５０のＰＷＭ制御回路８に加えられる。
【００３９】
また、回転数指令パルスＣＮは、回転数制御回路１６にも加えられており、その結果、駆動電圧ＶS を発生させる。この駆動電圧ＶS は、制御電圧Ｖddの立上りから緩やかに立ち上がり、時間ｔ4 だけ遅延した時点で中間電圧（ＶS ／２）に到達し、一定の駆動電圧ＶS に到達した後、回転数指令パルスＣＮの終了に同期して立ち下がる。駆動電圧ＶS の緩やかな立上り又は立下りは、積分回路１６４の時定数による。即ち、駆動電圧ＶS は制御電圧Ｖddより遅延してＰＷＭ制御回路８に加えられるとともに、回転数指令パルスＣＮの終了時点から遅延して解除される。
【００４０】
このような動作により、ファンモータ２が駆動開始し、燃焼室内の残留ガスを外部に排出するプリパージ時間ｔ1 の経過後にイグナイタ４８を放電させてバーナ３８の燃焼を開始する。給水量、給水温、設定温度に応じて比例弁４６の開度を調整し、燃焼量が制御される。この燃焼量に応じてファンモータ２の回転数が決定され、この回転数に応じた回転数指令パルスＣＮが送出される。図７のＥに示す駆動電圧ＶS の電圧が変化し、この電圧値に対応してファンモータ２の回転数が制御される。
【００４１】
そして、水栓が閉じられ、熱交換器３２の流水がなくなると、図７のＡに示すように水量センサ３４の出力がＯＦＦとなる。同時に開閉弁４２、４４を閉じてバーナ燃焼を停止する。このバーナ燃焼が停止してから時間ｔ2 が経過するまでファンモータ２を駆動させて燃焼室内の残留ガスを外部に排出するポストパージ運転が行われる。
【００４２】
バーナ燃焼の停止から時間ｔ2 の経過後、制御装置１４は回転数指令パルスＣＮを停止し、図７のＥに示すように、図４の積分回路１６４による時定数により駆動電圧ＶS が緩やかに下降する。時間ｔ5 の経過後、駆動電圧ＶS ／２より下降する。
【００４３】
また、ＯＮ−ＯＦＦ制御回路２２も回転数指令パルスＣＮの停止により制御電圧Ｖddを停止させるが、図６のフリップフロップ回路１９８に設けた抵抗２０４、コンデンサ２０６による時定数により、時間ｔ3 の間、制御電圧Ｖddが保持される。時間ｔ3 が時間ｔ5 より長くなるように時定数が抵抗２０４、コンデンサ２０６の各値で設定される。この結果、回転数指令パルスＣＮの停止後、駆動電圧ＶS の停止の後に制御電圧Ｖddが停止され、ファンモータ２が防護される。
【００４４】
ところで、図４に示す回転数制御回路１６の動作を図８を参照して説明すると、図８のＦは、制御装置１４から出力される回転数指令パルスＣＮを示し、ｔはそのデューティ時間、Ｔは繰り返し周期である。このような回転数指令パルスＣＮに基づいて、トランジスタ１７２が導通、遮断を繰り返すと、コンデンサ１８６は抵抗１８０を通して充電され、その充電電圧Ｖ1 は図８のＧのように脈動波形となる。
【００４５】
そして、この充電電圧Ｖ1 は、抵抗１８２を通してコンデンサ１８８に伝送され、その結果、コンデンサ１８８には図８のＨに示す電圧Ｖ2 が発生する。この電圧Ｖ2 が駆動電圧ＶS となる。この駆動電圧ＶS は、電源端子１７８に加えられる電圧をＶDDとすると、
ＶS ＝ＶDD×ｔ／Ｔ                        ・・・（１）
で与えられる。
【００４６】
なお、他の実施例として、図７のＥに示す駆動電圧ＶS がａ点及びｂ点の電圧を越えたときに制御電圧Ｖddがオン又はオフになるように構成してもよい。
【００４７】
【発明の効果】
以上説明したように、本発明によれば、次の効果が得られる。
ａ．駆動制御手段に対する給電をプログラム化し、必要な時間内に給電を制限したので、省電力化を図ることができる。
ｂ．給湯装置において、給気ファン又は排気ファンを回転させるブラシレスモータは給湯時又は追焚時に回転させればよく、このブラシレスモータの駆動制御手段に対する給電をその回転に対応してプログラム化して給電するので、不要な電力消費を抑制でき、省電力化を図ることができる。
ｃ．駆動制御手段に対する制御電圧を水流検知に基づいて給電を開始し、燃焼を終了した時点から所定時間の経過後、解除し又は零電圧に近い値に低下させているので、給湯装置における燃焼期間に対応して制御電圧を給電でき、不要な電力消費を抑制でき、省電力化を図ることができるとともに、燃焼終了時点から所定時間の経過後に給電を完了させているので、必要な排気又は給気期間が設定されており、安全性を確保できる。また、制御電圧の解除又は零電圧に近い値に低減させているので、電力消費を抑制でき、省電力化を図ることができる。
ｄ．駆動制御手段に対する制御電圧を給電制御手段が発生する回転数指令パルスの発生開始に同期して給電を開始し、回転数指令パルスの解除時点から所定時間の経過後、解除し又は零電圧に近い値に低下させているので、ブラシレスモータの回転制御に対応してプログラム化して給電でき、不要な電力消費の抑制により、省電力化を実現できる。
【図面の簡単な説明】
【図１】  ブラシレスモータ駆動装置を示すブロック図である。
【図２】  本発明の給湯装置の一実施形態を示す系統図である。
【図３】  本発明の給湯装置に用いられた給湯制御部を示すブロック図である。
【図４】  ブラシレスモータ駆動装置の具体的な回路構成を示す回路図である。
【図５】  図４のブラシレスモータ駆動装置におけるファンモータ回路を示すブロック図である。
【図６】  給電制御部の具体的な回路構成を示す回路図である。
【図７】  給湯制御に対応する給電制御を示すタイミングチャートである。
【図８】  動作波形を示すタイミングチャートである。
【図９】  従来のブラシレスモータ駆動装置を示すブロック図である。
【図１】
0004230615.tif 000002
【図２】
0004230615.tif 000003
【図３】
0004230615.tif 000004
【図４】
0004230615.tif 000005
【図５】
0004230615.tif 000006
【図６】
0004230615.tif 000007
【図７】
0004230615.tif 000008
【図８】
0004230615.tif 000009
【図９】
0004230615.tif 000010